(57)【要約】【課題】本発明は、前フィールドまでの表示の内容によらず常に階調間の輝度逆転や輝度の不整合・不連続を抑制できるＡＣ型プラズマディスプレイの駆動方法と、その駆動方法を用いるＡＣ型プラズマディスプレイ装置を提供する。【解決手段】ある画素において、以前に点灯していた累積維持パルス数がｍで、直前のサブフィールドの点灯パターンがＳＦ５〜ＳＦ８の全て点灯で、次のフィールドで表示しようとするデジタル映像信号がαとする。このとき補正処理回路１２では、記憶回路１３から累積維持パルス数ｍと点灯パターンとを読み出し、これに対応する補正係数Ｎと補正係数Ｃ１６とを累積維持パルス数テーブル１１とサブフィールド点灯パターンテーブル１０からそれぞれ呼び出し、補正処理回路１２で、デジタル映像信号αに補正係数Ｎと補正係数Ｃ１６とを掛けて、補正後のデジタル映像信号α×Ｎ×Ｃ１６を生成する。【選択図】　　　　図４
2004138935.tif 000002
【特許請求の範囲】
【請求項１】
１フィールドをそれぞれ発光輝度が異なる複数のサブフィールドに分割して、選択的に前記複数のサブフィールドを発光させることで階調表示を表現するＡＣ型プラズマディスプレイの駆動方法であって、
以前に表示したフィールドの発光情報を各画素ごとに記憶し、
前記発光情報に基づき輝度飽和による発光輝度の低下分を補正するための補正係数を各画素ごとに取得し、
新たに入力された映像信号を前記補正係数により補正することを特徴とするＡＣ型プラズマディスプレイの駆動方法。
【請求項２】
請求項１記載のＡＣ型プラズマディスプレイの駆動方法であって、
前記発光情報は、以前に表示した少なくとも１フィールド分の累積維持パルス数であることを特徴とするＡＣ型プラズマディスプレイの駆動方法。
【請求項３】
請求項１記載のＡＣ型プラズマディスプレイの駆動方法であって、
前記発光情報は、以前に表示した前記複数のサブフィールドの点灯パターンであることを特徴とするＡＣ型プラズマディスプレイの駆動方法。
【請求項４】
請求項１記載のＡＣ型プラズマディスプレイの駆動方法であって、
前記発光情報は、以前に表示した少なくとも１フィールド分の累積維持パルス数と以前に表示した前記複数のサブフィールドの前記点灯パターンであることを特徴とするＡＣ型プラズマディスプレイの駆動方法。
【請求項５】
請求項２又は請求項４記載のＡＣ型プラズマディスプレイの駆動方法であって、
前記補正係数は、前記累積維持パルス数が多くなるほど前記補正係数の値が大きくなることを特徴とするＡＣ型プラズマディスプレイの駆動方法。
【請求項６】
請求項３又は請求項４記載のＡＣ型プラズマディスプレイの駆動方法であって、
前記補正係数は、以前に表示した前記複数のサブフィールド内で連続して発光している数が多くなるほど前記補正係数の値が大きくなることを特徴とするＡＣ型プラズマディスプレイの駆動方法。
【請求項７】
請求項１乃至請求項６のいずれかに記載のＡＣ型プラズマディスプレイの駆動方法であって、
各画素ごとに前記発光情報に対応する前記補正係数をテーブルデータから呼び出すことにより前記補正係数を取得することを特徴とするＡＣ型プラズマディスプレイの駆動方法。
【請求項８】
請求項１乃至請求項６のいずれかに記載のＡＣ型プラズマディスプレイの駆動方法であって、
各画素ごとに変換関数を用いて前記発光情報から前記補正係数を演算により取得することを特徴とするＡＣ型プラズマディスプレイの駆動方法。
【請求項９】
請求項１乃至請求項８のいずれかに記載のＡＣ型プラズマディスプレイの駆動方法によって駆動されることを特徴とするＡＣ型プラズマディスプレイ装置。
【発明の詳細な説明】
【０００１】
【発明の属する技術分野】
本発明は、テレビなどに用いられるＡＣ型プラズマディスプレイ表示装置の駆動方法に係る発明であって、特に、ＡＣ型プラズマディスプレイ表示装置の階調間の輝度逆転や輝度不整合・不連続を改善する駆動方法に関するものである。
【０００２】
【従来の技術】
主なＡＣ型プラズマディスプレイ装置の階調表現は、１つのフィールドを複数のサブフィールド（ＳＦ）に分割し、維持パルス数をサブフィールド毎に異ならせて、そのサブフィールドを組み合わせることで表現している。例えば、１つのフィールドを８つのＳＦに分けて、それぞれの維持パルス数の比を１：２：４：８：１６：３２：６４：１２８にすることにより２５６階調表示が可能としている。また、プラズマディスプレイ装置は、ＣＲＴと同じく蛍光体の発光を利用して映像を表示する自発光型のディスプレイ装置である。そのため、ＣＲＴと同様プラズマディスプレイ装置においても蛍光体の輝度飽和による輝度低下の問題が発生する。ここで輝度飽和とは、放電により発生する紫外光の量が増加しても、その量に比例して輝度が増えない現象である。この輝度飽和は以前に放電した回数が多いほど、すなわち維持パルス数が多いほど大きくなり、また放電から次の放電までの時間が短いほど顕著になる。具体的には、サブフィールドの発光が連続するほど輝度飽和は大きくなる。このような輝度飽和が生じると連続して輝度が変化しているような映像において、本来必要な輝度が表示できずに途中で輝度反転や輝度の不整合・不連続が発生する場合がある。
【０００３】
従来、これらの問題点を解決する駆動方法として、複数のサブフィールドの輝度を組み合わせることにより階調レベルを表現する際に、ある階調レベルａを表現しようとしたとき階調レベルａ＋１で駆動することにより階調レベルａをスキップさせて輝度飽和による輝度逆転を防止している。つまり、階調レベルの高低に応じて下位ビットでのサブフィールド選択順序の規則性を変化させることで輝度飽和による階調レベルの逆転等の不整合を補正している。詳細については、特許文献１に記載されている。
【０００４】
また、別の駆動方法として、１フィールドに含まれる総維持パルス数に関連づけて、各サブフィールドの維持パルス数の比率を変化させて輝度飽和による輝度逆転を防止している。つまり、総維持パルス数が多いときに、総維持パルス数が少ない場合と比較して上位サブフィールドにおける維持パルス数の比率を下位サブフィールドのものより相対的に高くすることで輝度飽和による逆転を防止している。詳細については、特許文献２に記載されている。
【０００５】
【特許文献１】特開２００２−１３２２０４号公報（第５−７頁、第１−７図）
【特許文献２】特開２００２−１８０２８０号公報（第５−１０頁、第１−１２図）
【０００６】
【発明が解決しようとする課題】
従来の技術で示した駆動方法では、同一フィールド内で生じる階調レベルの不整合を改善するために、ある階調レベルをスキップさせたり、各サブフィールドの維持パルス数の比率を変化させる駆動を行っている。しかし、これら従来の技術の駆動方法では、異なるフィールド間で生じる輝度飽和については全く考慮されておらず、階調レベルの不整合は改善されない。
【０００７】
そこで、本発明は、上記問題点に鑑みなされたもので、前フィールドまでの表示の内容によらず常に階調間の輝度逆転や輝度の不整合・不連続を抑制することができるＡＣ型プラズマディスプレイの駆動方法と、その駆動方法により輝度逆転を抑制したＡＣ型プラズマディスプレイ装置を提供することを目的とする。
【０００８】
【課題を解決するための手段】
本発明に係る解決手段は、１フィールドをそれぞれ発光輝度が異なる複数のサブフィールドに分割して、選択的に複数のサブフィールドを発光させることで階調表示を表現するＡＣ型プラズマディスプレイの駆動方法であって、以前に表示したフィールドの発光情報を各画素ごとに記憶し、発光情報に基づき輝度飽和による発光輝度の低下分を補正するための補正係数を各画素ごとに取得し、新たに入力された映像信号を補正係数により補正する。
【０００９】
【発明の実施の形態】
以下、本発明をその実施の形態を示す図面に基づいて具体的に説明する。
【００１０】
（実施の形態１）
まず、異なるフィールド間に生じる輝度飽和による階調レベルの不整合・不連続について説明する。図１に、あるフィールドでのＡＣ型プラズマディスプレイの表示画面を示す。図１では、ＡＣ型プラズマディスプレイにランプ波形の画像（画面左から右に向かって連続的に階調が変化する画像）を表示している。この画面を表示する場合に、以前のフィールドで表示していた画面が黒一色の画面であれば、何ら問題なく図１に示すような連続的に階調が変化するランプ波形の画像が表示される。
【００１１】
しかし、以前のフィールドで表示していた画面が、図２に示すような画像（黒色の画面の左側の一部に白色の画面が表示されている画像）である場合、その後のフィールドで表示されるランプ波形の画像は、図１に示すように連続的に階調が変化せず、一部に階調間の輝度逆転が起こり階調レベルの不整合・不連続が生じる。これは、以前のフィールドで白色の画面を表示している部分で輝度飽和が生じ、本来表示すべき輝度を十分発光することができないため、以前のフィールドで表示した黒色の画面と白色の画面との境界部分で、ランプ波形の画像は、階調間の輝度逆転が起こり階調レベルの不整合・不連続となる。
【００１２】
図３に、輝度と階調レベルとの関係図を示す。図３の横軸は階調レベルを示すが、ＡＣ型プラズマディスプレイに表示する画面が図１のようなランプ波形の画像に示す場合には、図３の横軸が、ＡＣ型プラズマディスプレイの横方向の表示に対応する。図３の（ａ）は、以前のフィールドで黒一色の画面を表示した後に、図１の表示を行った場合の輝度と階調レベルとの関係を示している。一方、図３の（ｂ）は、以前のフィールドで図２の画面を表示した後に、図１の表示を行った場合の輝度と階調レベルとの関係を示している。
【００１３】
図３の（ａ）と（ｂ）とを比較すると、以前のフィールドで表示した黒色の画面と白色の画面との境界部分において輝度変化が逆転している。これは図２に示した黒色の画面部分と白色の画面部分で輝度飽和のレベルが異なり、次のフィールドで表示される図１のランプ波形の画面において、以前のフィールドで白色の画面を表示していた部分の輝度が、本来の輝度より低くなるためである。これにより、図２の黒色の画面と白色の画面との境界部分に、階調レベルの不整合・不連続が表示される。
【００１４】
本実施の形態に係る駆動方法では、上記で述べた異なるフィールド間に生じる輝度飽和による階調レベルの不整合・不連続を改善することを目的としている。まず、図４に本実施の形態に係る駆動方法を実施するための駆動回路のブロック図を示す。図４において、入力映像信号１は、ＡＣ型プラズマディスプレイの映像信号処理回路２を経てＡ／Ｄ変換回路３に入力される。このＡ／Ｄ変換回路３では、アナログである入力映像信号１をデジタル映像信号に変換する。
【００１５】
デジタル映像信号は、デジタル信号処理回路４を経てタイミング成分は１つのフィールドを複数に分けたサブフィールドのタイミングを制御するサブフィールド制御回路５に、輝度成分は映像信号−維持パルス数変換回路６に入力される。映像信号−維持パルス数変換回路６では、デジタル映像信号の輝度成分に応じて維持パルス数に変換される。この維持パルス数は、１つのフィールドを複数に分けたサブフィールドの維持パルス数を制御するサブフィールド維持パルス制御回路７を経て、パネル駆動制御回路８に入力される。パネル駆動制御回路８は、サブフィールド制御回路５から入力されたデジタル映像信号のタイミング成分とサブフィールド維持パルス制御回路７から入力された維持パルス数に基づいてパネル表示部９を点灯させるための駆動回路である。
【００１６】
さらに、本実施の形態の構成では、図４に示すようにサブフィールドの点灯パターンによる補正係数を呼び出すためのサブフィールド点灯パターンテーブル１０と累積維持パルス数による補正係数を呼び出すための累積維持パルス数テーブル１１とを備えている。ここで、サブフィールドの点灯パターンとは、直前に表示したフィールドにおいて維持パルスにより点灯させたサブフィールドのパターンをいう。例えば、１つのフィールドを８つのＳＦに分けた場合に、ＳＦ１〜ＳＦ４は非点灯でＳＦ５〜ＳＦ８は点灯させるパターンがある。また、累積維持パルス数とは、以前に表示した数フィールド間の維持パルス数の合計をいう。
【００１７】
そして、以前に表示したフィールドのサブフィールドパターンと維持パルス数に基づき、サブフィールド点灯パターンテーブル１０と累積維持パルス数テーブル１１とから必要な補正係数を呼び出しデジタル映像信号を補正する補正処理回路１２と、以前のフィールドのサブフィールド点灯パターンと累積維持パルス数を画素ごとに記憶しておく記憶回路１３も備えている。
【００１８】
図４に示した駆動回路のブロック図に基づき、異なるフィールド間に生じる輝度飽和による階調レベルの不整合・不連続を改善する駆動方法について説明する。まず、入力映像信号１は、Ａ／Ｄ変換回路３においてデジタル映像信号に変換されデジタル信号処理回路４に入力される。このデジタル信号処理回路４では、補正処理回路１２にデジタル映像信号を送り、補正後のデジタル映像信号を受け取る。
【００１９】
補正処理回路１２での補正処理は、累積維持パルスによる補正とサブフィールドの点灯パターンによる補正とがある。まず、累積維持パルスによる補正について説明する。ＡＣ型プラズマディスプレイのある画素を考えると、以前の複数のフィールド期間での点灯回数、つまり累積維持パルス数が多いほど輝度飽和が生じ蛍光体の発光効率が低下することになる。この関係についてグラフ化したものを図５に示す。
【００２０】
図５（ａ）は、累積維持パルス数ｍが多くなると発光効率がｎ（ｎ≦１）が低くなる関係を示している。しかし、望ましいＡＣ型プラズマディスプレイの表示は、図５（ｂ）に示すような累積維持パルス数ｍが多くなっても発光効率ｎが１．０と一定になる表示である。そのため、図５（ａ）の関係となるデジタル映像信号を図５（ｂ）の関係となるデジタル映像信号に補正する必要がある。
【００２１】
デジタル映像信号の補正は、発光効率ｎの逆数である補正係数Ｎをデジタル映像信号に掛けることにより行うことができる。累積維持パルス数ｍに対応する補正係数Ｎ（発光効率ｎの逆数）をプロットすると、図５（ｃ）に示すような累積維持パルス数ｍと補正係数Ｎの関係となる。累積維持パルス数テーブル１１には、この図５（ｃ）に示した累積維持パルス数ｍと補正係数Ｎの関係が保存されている。補正処理回路１２では、記憶回路１３から読み出された累積維持パルス数ｍに対応する補正係数Ｎを累積維持パルス数テーブル１１から呼び出し、デジタル映像信号を補正することになる。
【００２２】
具体的に累積維持パルスによる補正を説明する。ある画素において、以前の数フィールド期間に点灯していた累積維持パルス数がｍとし、次のフィールドで表示しようとするデジタル映像信号がαとする。このとき補正処理回路１２では、記憶回路１３から累積維持パルス数ｍを読み出し、これに対応する補正係数Ｎを累積維持パルス数テーブル１１から呼び出す。次に、補正処理回路１２で、デジタル映像信号αに補正係数Ｎを掛けて、補正後のデジタル映像信号α×Ｎを生成しデジタル信号処理回路４に戻す。以上の補正処理は、全ての画素について行われる。
【００２３】
なお、補正係数Ｎは、累積維持パルス数が多くなるほど大きくなる。上記では発光効率ｎの逆数になると説明したが、必ずしも発光効率ｎの逆数である必要がなく、補正係数Ｎはパネルや駆動方式に依存するため、ＡＣ型プラズマディスプレイの表示において生じる輝度飽和による階調レベルの不整合を改善できる補正係数であれば良い。また、累積維持パルス数ｍと補正係数Ｎとの関係は図５（ｃ）に示すように連続的でなくても良い。例えば、図５（ｄ）に示すように累積維持パルス数ｍをいくつかのグループに分割して、それぞれのグループに対して補正係数Ｎが設定されているような簡易補正カーブでも良い。これによりシステムを簡略化することができる。
【００２４】
次に、サブフィールドの点灯パターンによる補正について説明する。ＡＣ型プラズマディスプレイのある画素を考えると、直前のフィールド期間のサブフィールドの点灯パターンにより輝度飽和のレベルが異なり、階調レベルの不整合・不整合が表示される。つまり、直前のサブフィールドにおいて点灯パターンが連続するほど蛍光体の発光効率が低下することになる。
【００２５】
図６に、直前のフィールド期間でのサブフィールドＳＦ５〜サブフィールドＳＦ８の点灯パターンと補正係数の関係を表す図を示す。図６では、１フィールド期間に８個のサブフィールドを有する場合に、その上位（次に表示するフィールドに近い側）の４個のサブフィールドの点灯パターンのみに注目している。
【００２６】
例えば、サブフィールドＳＦ５〜サブフィールドＳＦ８が全て非点灯の場合、映像信号の補正係数をＣ１とし、サブフィールドＳＦ５が点灯でサブフィールドＳＦ６〜サブフィールドＳＦ８が全て非点灯の場合、映像信号の補正係数をＣ２としている。同様に各々のサブフィールドの点灯パターンに対して映像信号の補正係数をＣ１〜Ｃ１６が設定されている。具体的な数値は、Ｃ１が１．０，Ｃ２が１．０１・・・Ｃ１５が１．１４，Ｃ１６が１．１５のように設定することができる。しかし、補正係数をＣ１〜Ｃ１６の具体的な数値については、パネルや駆動方式に依存するため設計時に最適な数値が設定されるため、上記の数値には限られない。
【００２７】
図６に示したサブフィールドの点灯パターンに対する補正係数の関係は、サブフィールド点灯パターンテーブル１０に保存されている。例えば、ある画素において、記憶回路１３に保存されている直前のサブフィールドの点灯パターンが、サブフィールドＳＦ５〜サブフィールドＳＦ７が全て点灯でサブフィールドＳＦ８のみが非点灯である。そして、次のフィールドで表示しようとするデジタル映像信号がαの場合、補正処理回路１２では、記憶回路１３から上記の点灯パターンを読み出し、これに対応する補正係数Ｃ８をサブフィールド点灯パターンテーブル１０から呼び出す。次に、補正処理回路１２で、デジタル映像信号αに補正係数Ｃ８を掛けて、補正後のデジタル映像信号α×Ｃ８を生成しデジタル信号処理回路４に戻す。以上の補正処理は、全ての画素について行われる。
【００２８】
なお、補正係数Ｃは、サブフィールド発光が連続しているほど大きくなる。また、上記の補正係数Ｃでは、上位の４個のサブフィールドの点灯パターンのみに注目したが、必ずしも上位の４個のサブフィールド限定される必要がなく、例えば注目するサブフィールドを上位の２個のサブフィールドのみとすることも可能である。これによりシステムを簡略化することができる。
【００２９】
上記では、累積維持パルスによる補正とサブフィールドの点灯パターンによる補正とを別々に説明したが、本実施の形態では、通常、両方の補正をデジタル映像信号に対して行っている。例えば、ある画素において、以前の数フィールド期間に点灯していた累積維持パルス数がｍで、直前のサブフィールドの点灯パターンがサブフィールドＳＦ５〜サブフィールドＳＦ８の全てが点灯で、次のフィールドで表示しようとするデジタル映像信号がαとする。
【００３０】
このとき補正処理回路１２では、記憶回路１３から累積維持パルス数ｍと点灯パターンとを読み出し、これに対応する補正係数Ｎと補正係数Ｃ１６とを累積維持パルス数テーブル１１とサブフィールド点灯パターンテーブル１０からそれぞれ呼び出す。次に、補正処理回路１２で、デジタル映像信号αに補正係数Ｎと補正係数Ｃ１６とを掛けて、補正後のデジタル映像信号α×Ｎ×Ｃ１６を生成しデジタル信号処理回路４に戻す。なお、以上の補正処理は、全ての画素について行われる。
【００３１】
以上デジタル信号処理回路４での補正処理が終わった後に、補正後のデジタル映像信号は、タイミング成分がサブフィールド制御回路５に、輝度成分が映像信号−維持パルス数変換回路６に入力される。映像信号−維持パルス数変換回路６では、補正後のデジタル映像信号の輝度成分に応じて維持パルス数に変換される。この際、映像信号−維持パルス数変換回路６では、現フィールドの維持パルス数とサブフィールドの点灯パターンとのデータが記憶回路１３に送信される。記憶回路１３では、画素ごとに累積維持パルス数ｍとサブフィールドの点灯パターンがデータとして保存され、映像信号−維持パルス数変換回路６から送信されてきた維持パルス数とサブフィールドの点灯パターンとのデータによって、フィールド毎にデータが更新されている。
【００３２】
そして、映像信号−維持パルス数変換回路６で変換された維持パルス数は、サブフィールド維持パルス制御回路７を経て、サブフィールド制御回路５からのタイミング成分とともにパネル駆動制御回路８に入力される。パネル駆動制御回路８では、入力された補正後のデジタル映像信号のタイミング成分に従い、維持パルス数分だけパネル表示部９を点灯させる。
【００３３】
このように、以前のフィールドまでの維持パルス数やサブフィールドの点灯パターンに基づいて入力映像信号１を補正することによって、輝度飽和のレベルが異なることによる輝度逆転や階調レベルの不整合・不連続を抑制することができる。
【００３４】
なお、本実施の形態ではＡ／Ｄ変換回路３で変換されたデジタル映像信号に対し、補正係数を掛けて補正する方法について説明したが、本発明はこれに限られず、Ａ／Ｄ変換回路３でデジタル映像信号に変換される前の入力映像信号１の段階で補正係数を掛けて補正する方法や、デジタル映像信号を映像信号−維持パルス数変換回路６で維持パルス数に変換する際に補正係数を掛けて補正する方法などであっても良い。
【００３５】
（実施の形態２）
図７に、本実施の形態に係る駆動方法を実施するための駆動回路のブロック図を示す。図７は、図４のブロック図で示したサブフィールド点灯パターンテーブル１０、累積維持パルス数テーブル１１及び補正処理回路１２をマイクロプロセッサ１４に置き換えた構成となっている。その他の構成は、実施の形態１である図４と同じ構成であり、同一の部分には同一符号を付して、その説明は省略する。本実施の形態の構成では、上記実施の形態１で述べたサブフィールド点灯パターンテーブル１０、累積維持パルス数テーブル１１及び補正処理回路１２を持たずに、マイクロプロセッサ１４により補正係数を演算してデジタル映像信号に対して補正を行うようにしたものである。
【００３６】
次に、図７に示した駆動回路のブロック図に基づき、異なるフィールド間に生じる輝度飽和による階調レベルの不整合・不連続を改善する駆動方法について説明する。まず、入力映像信号１は、Ａ／Ｄ変換回路３においてデジタル映像信号に変換されデジタル信号処理回路４に入力される。このデジタル信号処理回路４では、マイクロプロセッサ１４にデジタル映像信号を送り、補正後のデジタル映像信号を受け取る。
【００３７】
本実施の形態のマイクロプロセッサ１４の補正処理でも、実施の形態１の補正処理回路１２の補正処理と同様、累積維持パルスによる補正とサブフィールドの点灯パターンによる補正とがある。まず、累積維持パルスによる補正について説明する。実施の形態１では、記憶回路１３から読み出された累積維持パルス数ｍを用いて累積維持パルス数テーブル１１から補正係数Ｎを呼び出していた。本実施の形態では、累積維持パルス数テーブル１１の代わりに、マイクロプロセッサ１４において累積維持パルス数ｍと補正係数Ｎとの変換関数（Ｎ＝ｆ（ｍ））を用いて演算することにより補正係数Ｎを呼び出している。なお、変換関数Ｎ＝ｆ（ｍ）は、図５（ｃ）の関数である。
【００３８】
具体的に累積維持パルスによる補正を説明する。ある画素において、以前の数フィールド期間に点灯していた累積維持パルス数がｍとし、次のフィールドで表示しようとするデジタル映像信号がαとする。このときマイクロプロセッサ１４では、記憶回路１３から累積維持パルス数ｍを読み出し、変換関数Ｎ＝ｆ（ｍ）に読み出した累積維持パルス数ｍを代入して、補正係数Ｎを求める。次に、デジタル映像信号αに補正係数Ｎを掛けて、補正後のデジタル映像信号α×Ｎを生成しデジタル信号処理回路４に戻す。以上の補正処理は、全ての画素について行われる。
【００３９】
なお、変換関数Ｎ＝ｆ（ｍ）は図５（ｃ）に示すような連続関数である必要がなく、例えば、図５（ｄ）に示すような階段関数でも良い。これにより変換関数による演算を簡略化することができる。
【００４０】
次に、サブフィールドの点灯パターンによる補正について説明する。実施の形態１では、記憶回路１３から読み出された点灯パターンを用いてサブフィールド点灯パターンテーブル１０から補正係数Ｃを呼び出していた。本実施の形態では、サブフィールド点灯パターンテーブル１０の代わりに、マイクロプロセッサ１４において点灯パターンと補正係数Ｃとの変換関数（Ｃ＝ｆＳＦ５（ｘ）＋ｆＳＦ６（ｘ）＋ｆＳＦ７（ｘ）＋ｆＳＦ８（ｘ））を用いて演算することにより補正係数Ｃを呼び出している。なお、変換関数Ｃ＝ｆＳＦ５（ｘ）＋ｆＳＦ６（ｘ）＋ｆＳＦ７（ｘ）＋ｆＳＦ８（ｘ）は、１フィールド期間に８個のサブフィールドを有するとして、その上位の４個のサブフィールドの点灯パターンのみに注目して関数化している。また、ｘは０の場合を非点灯、１の場合を点灯としている。
【００４１】
具体的にサブフィールドの点灯パターンによる補正を説明する。ある画素において、直前のサブフィールドの点灯パターンがサブフィールドＳＦ５〜サブフィールドＳＦ７が全て点灯でサブフィールドＳＦ８のみが非点灯の場合、この点灯パターンが記憶回路１３に保存される。そして、次のフィールドで表示しようとするデジタル映像信号がαの場合、マイクロプロセッサ１４では、記憶回路１３から点灯パターンを読み出し、変換関数にＣ８＝ｆＳＦ５（１）＋ｆＳＦ６（１）＋ｆＳＦ７（１）＋ｆＳＦ８（０）に代入して補正係数Ｃを演算で求める。
【００４２】
次に、マイクロプロセッサ１４で、デジタル映像信号αに補正係数Ｃ８を掛けて、補正後のデジタル映像信号α×Ｃ８を生成しデジタル信号処理回路４に戻す。以上の補正処理は、全ての画素について行われる。なお、上記の補正係数Ｃでは、上位の４個のサブフィールドの点灯パターンのみに注目して関数化しているが、必ずしも上位の４個のサブフィールド限定される必要がなく、例えば注目するサブフィールドを上位の２個のサブフィールドのみに注目して関数化することも可能である。これにより変換関数による演算を簡略化することができる。
【００４３】
上記では、累積維持パルスによる補正とサブフィールドの点灯パターンによる補正とを別々に説明したが、本実施の形態では、通常両方の補正をデジタル映像信号に対して行っている。例えば、ある画素において、以前の数フィールド期間に点灯していた累積維持パルス数がｍで、直前のサブフィールドの点灯パターンがサブフィールドＳＦ５〜サブフィールドＳＦ８の全てが点灯で、次のフィールドで表示しようとするデジタル映像信号がαとする。
【００４４】
このときマイクロプロセッサ１４では、記憶回路１３から累積維持パルス数ｍと点灯パターンとを読み出し、変換関数に代入して補正係数Ｎと補正係数Ｃを演算により求める。次に、マイクロプロセッサ１４で、デジタル映像信号αに補正係数Ｎと補正係数Ｃとを掛けて、補正後のデジタル映像信号α×Ｎ×Ｃを生成しデジタル信号処理回路４に戻す。なお、以上の補正処理は、全ての画素について行われる。
【００４５】
以上デジタル信号処理回路４での補正処理が終わった後に、補正後のデジタル映像信号は、実施の形態１と同様、タイミング成分がサブフィールド制御回路５に、輝度成分が映像信号−維持パルス数変換回路６に入力される。映像信号−維持パルス数変換回路６では、補正後のデジタル映像信号の輝度成分に応じて維持パルス数に変換される。この際、映像信号−維持パルス数変換回路６では、維持パルス数とサブフィールドの点灯パターンのデータが記憶回路１３に送信される。
【００４６】
そして、映像信号−維持パルス数変換回路６で変換された維持パルス数は、サブフィールド維持パルス制御回路７を経て、サブフィールド制御回路５を経た補正後のデジタル映像信号のタイミング成分とともにパネル駆動制御回路８に入力される。パネル駆動制御回路８では、入力された補正後のデジタル映像信号のタイミング成分に従い、維持パルス数分だけパネル表示部９を点灯させる。
【００４７】
このように、以前のフィールドまでの維持パルス数やサブフィールドの点灯パターンに基づいて入力映像信号１を補正することによって、輝度飽和のレベルが異なることによる輝度逆転や階調レベルの不整合・不連続を抑制することができる。また、マイクロプロセッサ１４での演算により補正係数を求めることにより、サブフィールド点灯パターンテーブル１０や累積維持パルス数テーブル１１を記憶回路に記憶する必要がなくなり、記憶回路の容量を少なくすることができるため、補正処理を含む駆動回路の規模を小さく構成することができる。
【００４８】
なお、本実施の形態では、マイクロプロセッサ１４で累積維持パルス数ｍと補正係数Ｎとの変換関数と点灯パターンと補正係数Ｃとの変換関数とに分けて演算を行ったが、累積維持パルス数ｍと点灯パターンの両変数から１つの補正係数を算出できる変換関数で演算を行っても良い。また、本実施の形態ではＡ／Ｄ変換回路３で変換されたデジタル映像信号に対し、補正係数を掛けて補正する方法について説明したが、本発明はこれに限られず、Ａ／Ｄ変換回路３でデジタル映像信号に変換される前の入力映像信号１の段階で補正係数を掛けて補正する方法や、デジタル映像信号を映像信号−維持パルス数変換回路６で維持パルス数に変換する際に補正係数を掛けて補正する方法などであっても良い。
【００４９】
【発明の効果】
本発明に記載のＡＣ型プラズマディスプレイは、以前のフィールドまでの維持パルス数やサブフィールドの点灯パターンに基づいて入力映像信号１を補正するので、輝度飽和のレベルが異なることによる輝度逆転や階調レベルの不整合・不連続を抑制することができる効果がある。
【図面の簡単な説明】
【図１】ＡＣ型プラズマディスプレイにおいてランプ波形の画像を表示した画面の模式図である。
【図２】ＡＣ型プラズマディスプレイにおいて表示する画面の模式図である。
【図３】ＡＣ型プラズマディスプレイにおいて階調レベルと輝度との関係を表した図である。
【図４】本発明の実施の形態１に係るＡＣ型プラズマディスプレイの構成図である。
【図５】本発明の実施の形態１に係るＡＣ型プラズマディスプレイの累積維持パルス数と発光効率との関係を表した図である。
【図６】本発明の実施の形態１に係るＡＣ型プラズマディスプレイのサブフィールドの点灯パターンと補正係数との関係を表した図である。
【図７】本発明の実施の形態２に係るＡＣ型プラズマディスプレイの構成図である。
【符号の説明】
１　入力映像信号、２　映像信号処理回路、３　Ａ／Ｄ変換回路、４　デジタル信号処理回路、５　サブフィールド制御回路、６　映像信号−維持パルス数変換回路、７　サブフィールド維持パルス制御回路、８　パネル駆動制御回路、９パネル表示部、１０　サブフィールド点灯パターンテーブル、１１　累積維持パルス数テーブル、１２　補正処理回路、１３　記憶回路、１４　マイクロプロセッサ。
【図１】
2004138935.tif 000003
【図２】
2004138935.tif 000004
【図３】
2004138935.tif 000005
【図４】
2004138935.tif 000006
【図５】
2004138935.tif 000007
【図６】
2004138935.tif 000008
【図７】
2004138935.tif 000009